(57)【要約】【課題】  本発明の課題は、シャワーヘッドが給水配管または給水配管に接続された接続具から落下することを防止することである。【解決手段】  湯水を供給する給水配管と、湯水を吐水するシャワーヘッドと、給水配管とシャワーヘッドを接続する接続具を備えたシャワー装置において、接続具の緩みや破損等により、接続具とシャワーヘッドとの接続が不能になった場合に、シャワーヘッドが接続具から落下することを防止するための落下防止具を前記シャワーヘッドの背面側に設けたことを特徴とするシャワー装置とした。落下防止具は、接続具を包囲するようにシャワーヘッドの背面側に接続されるものであって、落下防止具の内部にはシャワーヘッドと接続する接続部と、シャワーヘッドの落下を防止する係止面を設けるとともに、接続具にはシャワーヘッドとの接続が不能になった場合、係止面によって係止される係止部を設けた。【選択図】  図９
2006180970.tif 000002
【特許請求の範囲】
【請求項１】
湯水を供給する給水配管と、湯水を吐水するシャワーヘッドと、前記給水配管と前記シャワーヘッドを接続する接続具を備えたシャワー装置において、前記接続具の緩みや破損等により、前記接続具と前記シャワーヘッドとの接続が不能になった場合に、前記シャワーヘッドが前記接続具から落下することを防止するための落下防止具を前記シャワーヘッドの背面側に設けたことを特徴とするシャワー装置。
【請求項２】
前記落下防止具は、前記接続具を包囲するように前記シャワーヘッドの背面側に接続されるものであって、前記落下防止具の内部には前記シャワーヘッドと接続する接続部と、前記シャワーヘッドの落下を防止する係止面を設けるとともに、前記接続具には前記シャワーヘッドとの接続が不能になった場合、前記係止面によって係止される係止部を設けたことを特徴とする請求項１記載のシャワー装置。
【請求項３】
前記落下防止具に内部から外部へ連通する連通路を設けたことを特徴とする請求項１または請求項２に記載のシャワー装置。
【請求項４】
前記落下防止具は紐状の吊り具であって、前記吊り具の両端には固定具を設け、前記固定具の一方をシャワーヘッドの背面側に、他方を浴室内の壁面または前記給水配管に固定することを特徴とする請求項１記載のシャワー装置。
【発明の詳細な説明】
【技術分野】
【０００１】
本発明は、浴室やシャワールームなどに設置されるシャワー装置に係り、特に頭上からシャワー吐水を行う上で好適なシャワー装置に関する。 
【背景技術】
【０００２】
従来、浴室やシャワールームなどの天井面や壁面の上方に設置されるシャワー装置においては、天井面や壁面の裏側に配設された給水配管に接続具を取り付け、その接続具に金属素材や剛性の高い樹脂素材で製作された散水板を備えたシャワーヘッドを取付けることで、頭上からのシャワー吐水を行うようにしたものがある。このような従来のシャワー装置における給水配管と接続具、及び接続具とシャワーヘッドのそれぞれの接続は、各々に相反するねじ接続部を設け、それらを単純に接続することで実現してきた。（例えば、特許文献１参照）
【特許文献１】実開平５−００９６５９号公報（第４図）
【０００３】
そして、このようなシャワー装置においては、昨今、全身を包み込む程の更なる大容量のシャワー吐水により浴槽に入ることなく入浴時の爽快感を得ることや浴室あるいはシャワールーム内の意匠性を差別化するための装飾とすることを目的として、シャワーヘッドの外径を大型化したり、大型化したシャワーヘッドを天井面に直接取り付け、天井面と一体的な構造とすることが注目されている。
【０００４】
しかしながら、シャワーヘッドを大型化した場合に上記した従来のシャワーヘッドの接続構造をそのまま採用すると、シャワーヘッドの内部で給水圧力を受ける面積が増大したり、シャワーヘッド自体の重量が増大することにより、これらを支える給水配管と接続具、または、接続具とシャワーヘッドとのねじ接続部には、従来以上の多大な応力負荷がかかってしまう。その結果、長期間の使用によりねじ接続部が疲労破壊し、シャワーヘッドが突発的に給水配管から落下してしまうという問題が発生する可能性がある。
【発明の開示】
【発明が解決しようとする課題】
【０００５】
本発明は、上記問題を解決するため、シャワーヘッドが給水配管または給水配管に接続された接続具から落下することを防止するシャワー装置を提供するものである。
【課題を解決するための手段】
【０００６】
請求項１記載の発明では、湯水を供給する給水配管と、湯水を吐水するシャワーヘッドと、前記給水配管と前記シャワーヘッドを接続する接続具を備えたシャワー装置において、前記接続具の緩みや破損等により、前記接続具と前記シャワーヘッドとの接続が不能になった場合に、前記シャワーヘッドが前記接続具から落下することを防止するための落下防止具を前記シャワーヘッドの背面側に設けたことを特徴とするシャワー装置とした。
【０００７】
本発明によれば、給水配管と接続具との接続部や、接続具とシャワーヘッドとの接続部といった、給水圧力やシャワーヘッドの重量の影響により比較的多大な応力負荷のかかる接続部にシャワーヘッドの落下を防止する手段を備えておくことで、これらの接続箇所が疲労破壊等の理由で不能となった際にも落下防止具が働き、重量のあるシャワーヘッドの突発的な落下を防止することができる。
【０００８】
請求項２記載の発明では、前記落下防止具は、前記接続具を包囲するように前記シャワーヘッドに接続されるものであって、前記落下防止具の内部には前記シャワーヘッドと接続する接続部と、前記シャワーヘッドの落下を防止する係止面を設けるとともに、前記接続具には前記シャワーヘッドとの接続が不能になった場合、前記係止面によって係止される係止部を設けたことを特徴とするシャワー装置とした。
【０００９】
本発明によれば、接続具とシャワーヘッドの接続部において、シャワーヘッドと接続具を連結する接続部とは別個の接続部をシャワーヘッドに設け、その別個の接続部に落下防止具を連結することで、給水圧力やシャワーヘッドの重量により多大な応力負荷のかかるシャワーヘッドと接続具を連結する接続部が疲労破壊等の理由で外れた際にも、落下防止具の係止部により係止し、重量のあるシャワーヘッドの突発的な落下を防止することができる。
【００１０】
請求項３記載の発明では、前記落下防止具に内部から外部へ連通する連通路を設けたことを特徴とするシャワー装置とした。
【００１１】
本発明によれば、落下防止具に連結路を設けることで、接続具とシャワーヘッドの接続部の破壊によるシャワーヘッドの落下を防止した際、外れた接続具とシャワーヘッドの接続部から漏れる湯水を連通路より噴出させる。しかして、この意図せぬ箇所と方向からの吐水は、接続具とシャワーヘッドの接続部が外れた、という不具合検知手段となり、シャワー装置の故障を使用者にいち早く察知させることができる。
【００１２】
請求項４記載の発明では、前記落下防止具は紐状の吊り具であって、前記吊り具の両端には固定具を設け、前記固定具の一方をシャワーヘッドの背面側に、他方を壁面または前記給水配管に固定することを特徴とするシャワー装置とした。
【００１３】
本発明によれば、シャワーヘッドの背面と浴室やシャワールームの壁面とを一定値以上の強度を有した紐や鎖といった吊り具で繋いでおくことで、仮にいずれかの接続が外れても吊り具によりシャワーヘッドは吊り下がる状態となり、重量のあるシャワーヘッドの突発的な落下を防止することができる。
【発明の効果】
【００１４】
本発明は、上記問題を解決するため、シャワーヘッドが給水配管または給水配管に接続された接続具から落下することを防止するシャワー装置を提供することができる。
【発明を実施するための最良の形態】
【００１５】
以下に図面を参照して本発明をより具体的に説明する。図１は、本発明の第一実施形態におけるシャワー装置１を天井面５に取付けた状態を示した斜視図である。図２は図１に示したシャワー装置１の断面図である。
本発明における第一実施形態のシャワー装置１は、主として浴室あるいはシャワールームの天井面５に配設され湯水を供給する給水配管６と、湯水を吐水するシャワーヘッド２と、給水配管６とシャワーヘッド２を接続する接続具であるパイプ３と、シャワーヘッド２が給水配管６から落下することを防ぐ落下防止具であるキャップ４から構成されている。そして、浴室またはシャワールームの天井面５を介して給水配管６とパイプ３の一端が接続され、パイプ３の他端とシャワーヘッド２が接続され、パイプ３を介してキャップ４とシャワーヘッド２が接続されている。
【００１６】
給水配管６は、直径１５ｍｍ相当の一般的な口径を有した金属素材を使用し、下流側の一端の内部にはパイプ３と接続するための雌ねじ部（図示しない）が形成され、浴室またはシャワールームの床下から壁面裏を通って天上面５の裏面に配設されている。
【００１７】
次に、シャワーヘッド２の構成について図を用いて説明する。図３は、図２のＡ部の拡大図である。
シャワーヘッド２は使用者の全身を包むように湯水を吐水させるため、その外径が従来のものと比べ拡径され、側面視で平面状に形成されている。その構成は、シャワーヘッド２内の通水路２１２を区画形成するシャワー本体２１と、散水ノズル２２１を備えた散水パッキン２２と、シャワーヘッド２の表面を形成する散水板２３と、パイプ３と接続するとともに逆止弁２８を挿入した継手２５と、シャワー本体２１を覆う裏蓋２４と、シャワー本体２１、裏蓋２４と散水板２３を固定する固定用ねじ２６からなっている。
【００１８】
散水板２３は、金属素材を用いて形成された円板形状であり、外周部は外観からシャワー本体２１、散水パッキン２２が見えないよう板を垂直に直立させている。そして、散水パッキン２２を重ねた際、散水ノズル２２１が突出されるよう、散水ノズル２２１より一回り大きな径の孔が、散水ノズル２２２と同じ位置となるよう施されている。また、雌ねじ加工が施された固定用ねじ受け２３１が複数個突出している。
【００１９】
散水パッキン２２は、ゴムまたは軟質の樹脂素材を用いて形成され、散水板２３と同様の水平な円板形状であり、複数個の散水ノズル２２１が設けられている。
【００２０】
シャワー本体２１は、硬質の樹脂素材を用いて形成された円板形状であり、中心部には継手２５を差し込む給水口２１１が開口している。また、散水パッキン２２との接触面側には、給水口２１１を中心として通水壁２１３が複数、一定の配列で設けられている。この通水壁２１３を散水パッキン２２と接触させることによりシャワーヘッド２内の通水路２１２を区画形成している。
【００２１】
図４に本件発明における接続構造を実現するための継手２５の斜視図を、図５に断面図をそれぞれ示す。継手２５は、上流側にパイプ３の袋ナット３１と接続される第一の雄ねじ部２５１を有し、パイプ３からの給水を流入する流入口２５２を備えている。次に、下流側にはＯリング２７が取り付けられており、給水をシャワーヘッド２へと流出する流出口２５３を備えている。そして、流入口２５２と流出口２５３の間にはシャワーヘッド２の水切れを良好にするための逆止弁２８が備えられている。
また、第一の雄ねじ部２５１の下方外周側には第一の雄ねじ部より外径の大きい第二の雄ねじ部２５４が備えられており、第二の雄ねじ部２５４の切り終わりから継手鍔部２５５が広げられている形状である。尚、継手鍔部２５５には散水板２３の固定用ねじ受け２３１と同配置となるよう継手貫通穴２５６が開口している。
【００２２】
裏蓋２４は、金属素材を用いて形成された円板形状であり、中心部は前出した継手２５の第二の雄ねじ部２５４が露出するよう開口しており、散水板２３に重ねた散水パッキン２２、シャワー本体２１を覆うように被せるものである。
【００２３】
継手２５のシャワーヘッド部２への取り付け要領を図６に示す。まず、継手２５の下流側をシャワー本体２１の給水口２１１に差し込み、Ｏリング２７が水密するよう介在させて接続する。そして、上流側より第二の雄ねじ部２５４が露出するよう開口した裏蓋２４を被せ、固定用ねじ２６を継手貫通穴２５６、及びシャワー本体２１、散水パッキン２２を通して固定用ねじ受け２３１と接続し、シャワーヘッド２を形成する。
【００２４】
次に、給水配管６とシャワーヘッド２とを接続する接続具であるパイプ３について説明する。
パイプ３の外観を示した斜視図を図７に示す。パイプ３は、下流側に継手２５の第一の雄ねじ部２５１と接続される袋ナット３１を有し、上流側に給水配管６に接続する雄ねじ３２を備えている。また、袋ナット３１よりも上流側の位置に係止部となる六角形状をなしたパイプ鍔部３３が備えられている。
【００２５】
次に、シャワーヘッド２がパイプ３から落下するのを防止する落下防止具であるキャップ４について説明する。キャップ４は、図８に示すように外観が略円筒形状をしており、上部にパイプ３の外径よりほど大きな径を持ち、パイプ鍔部３３の外寸より小さい径を持つパイプ挿通穴４１が開口されており、キャップ４の内側には継手２５の第二の雄ねじ２５４に接続される雌ねじ４２と、雌ねじ４２と略同径の内部空間４４と、シャワーヘッド２の落下を防止するためのパイプ鍔部３３の係止面４５が備えられている。また、キャップ４の側面には内部空間４４から外部に連通する複数個の連通路４３が備えられている。
【００２６】
ここで、給水配管６とパイプ３、及びパイプ３、キャップ４とシャワーヘッド２の取り付け要領を図９にて示す。
まず、キャップ４をパイプ３の雄ねじ３２側よりパイプ挿通穴４１に通した状態で、パイプ３の雄ねじ３２を給水配管６に接続する。このとき、パイプ鍔部３３の形状は図７のように六角形状としているので、工具掛けとして利用でき、より一層施工性を図ることができる。そして、給水配管６に固定されたパイプ３の袋ナット３１と継手２５の第一の雄ねじ部２５１を接続し、続いてキャップ４の雌ねじ４２と継手２５の第二の雄ねじ部２５４を接続してシャワー装置１を取り付けることになる。
そして、このように取り付けることで使用者が操作部（図示しない）を操作することにより適温の湯水が給水配管６を通ってシャワーヘッド２から使用者の全身を包むように吐水され、快適なシャワー吐水が得られるのである。
【００２７】
このとき、袋ナット３１と第一の雄ねじ部２５１の接続部には、シャワーヘッド２全体が受ける給水圧力による引張応力がかかる。また、シャワーヘッド２全体の重量も同時に支えているため、袋ナット３１と第一の雄ねじ部２５１の接続部は多大な応力負荷を受ける箇所となる。しかし、給水圧力やシャワーヘッド２全体の重量により袋ナット３１と第一の雄ねじ部２５１の接続部が緩んだり外れたりした場合でも、キャップ４の雌ねじ４２と継手２５の第二の雄ねじ部２５４の接続部は、給水圧力やシャワーヘッド２の重量の影響を全く受けないため、袋ナット３１と第一の雄ねじ部２５１の接続部よりも疲労しにくく、雌ねじ４２と第二の雄ねじ２５４の接続部は外れない。そのため、袋ナット３１と第一の雄ねじ部２５１の接続部が緩んだり外れると、キャップ４の係止面４５にパイプ鍔部３３が引っかかり、シャワーヘッド２の落下を防止することができる。
【００２８】
さらに、キャップ４の側面には連通路４３が複数設けられているため、袋ナット３１と第一の雄ねじ部２５１の接続部が外れた状態でシャワー装置１を吐水させた場合、湯水は外れた接続部から内部空間４４に流入し、連通路４３より噴出する。したがって、連通路４３からの予期せぬ方向、部位からの吐水により、使用者にこの接続部の異常を検知させることができるのである。
【００２９】
尚、上記した落下防止構造は、それぞれ指示した接続部のみならず、例えばパイプ３と給水配管６との接続部に用いても同様の構造にて適用することができ、同様の効果を発揮することができる。
【００３０】
次に、本発明のシャワー装置における第二実施形態について図を用いて説明する。図１０は、本発明のシャワー装置における第二実施形態を示した外観斜視図である。図１１は図１０に示したシャワー装置１１の断面図である。
本発明における第ニ実施形態のシャワー装置１１は、主として浴室あるいはシャワールームの天井面５に配設され湯水を供給する給水配管６と、湯水を吐水するシャワーヘッド１２と、給水配管６とシャワーヘッド１２を接続する接続具であるエルボ７から構成されている。そして、浴室またはシャワールームの天井面５を介して給水配管６とエルボ７の一端が接続され、エルボ７の他端とシャワーヘッド１２が接続されている。
【００３１】
次に、シャワーヘッド１２の構成について図１１を用いて説明する。シャワーヘッド１２は、第一実施形態のシャワーヘッド２に用いたシャワー本体２１、散水パッキン２２、裏蓋２４、固定用ねじ２６は同様のものを用い、それぞれの役割も同様である。そして、第二実施形態を実現するため、散水板２９、継手３０を用いていることが特徴して挙げられる。
【００３２】
散水板２９を図１２に示す。第一実施形態のシャワーヘッド２の散水板２３との相違点のみを挙げると、第二の散水板２９の側面部には散水板鍔部２９１を有しており、散水板鍔部２９１には一定間隔で設けられた複数個の散水板貫通穴２９２が設けられていることである。
【００３３】
継手３０は図１３に示すように、継手２５と同じく流入口２５２、流出口２５３、継手鍔部２５５、継手貫通穴２５６、Ｏリング２７、逆止弁２８を備えており、各々継手２５と同様の効果を発揮し、第一実施形態と同じ形態でシャワーヘッド２に接続される。但し、エルボ７の接続口７１との接続部には、配管接続用Ｏリング３０１が複数個備えられ、第二の雄ねじ部２５４は備えていないことが継手２５との相違点として挙げられる。
【００３４】
次にシャワーヘッド１２の継手３０とエルボ７の接続方法を図１４に示す。エルボ７の接続口７１は、内径部にシャワーヘッド１２との結合手段を持たない円筒状の開口であり、この接続口７１に配管接続用Ｏリング３０１を取り付けた継手３０を差し込む。このとき配管接続用Ｏリング３０１の線径は、接続口７１の内径よりも大きく形成されているため、軟質材料の配管接続用Ｏリング３０１は圧縮変形し、エルボ７の内径壁７２と継手３０との間に圧着して介在するため、配管接続用Ｏリング３４の高い弾性力をもって継手３０はエルボ７に接続される
【００３５】
そして、継手３０とエルボ７を接続した後、散水板貫通穴２９２に複数個の天井取付ねじ８を挿通し、天井面５、及び天井面５の裏側に設置された、天井面５を補強するための補強板９までねじ込んで固定する。このようにしてシャワーヘッド２を天井面５に一体的に固定するのである。尚、上記した状態のままでは外観から天井取付ねじ８が露出し、見栄えが悪くなってしまう。そこで、散水板２９の外周部側面に雄ねじを備えておき、完全固定後に図１１にて示す雌ねじを備えたカバー２９３を散水板２９に接続することで散水板鍔部２９１を覆い、天井取付ねじ８を隠蔽するのである。
【００３６】
上記のようにシャワーヘッド１２は、継手３０とエルボ７とを接続した後、複数個の天井取付ねじ８にて天井面５と直接取り付けるため、配管接続用Ｏリング３０１の弾性力のみでシャワーヘッド１２にかかる給水圧力やシャワーヘッド２の重量を保持しておらず、シャワーヘッド１２の落下に対する強度性能は安定している。
しかしながらシャワーヘッド１２の経年劣化等の理由によって、天井取付ねじ８が疲労破壊やねじの緩み等が生じる可能性もある。そこで、シャワーヘッド１２の落下を防止する手段として、図１５の一部拡大図にて示すように、シャワーヘッド１２と天井面５とを、シャワーヘッド１２の重量に耐えうる一定値以上の強度を持った吊り具１０で、１箇所以上別個に接続しておけば、天井取付ねじ８が外れても吊り具１０によってシャワーヘッド１２は天井面５に吊り下がり、落下を防止することができる。
【００３７】
吊り具１０を図１６に示す。吊り具１０はシャワー側固定具１０１、天井面側固定具１０２、鎖１０３から構成されている。シャワー側固定具１０１は、図１７に示すように裏蓋２４と固定用ねじ２６の間に挟み込んでシャワーヘッド１２と一体的に取り付けられるよう、開口が設けられている。そして、一定の長さを有する鎖１０３を介して、他端に設けられた天井面固定具１０２には、天井面５に直接接続されるよう、ねじ部が設けられている。
【００３８】
吊り具１０の接続要領を図１７に示す。シャワー側固定具１０１はシャワーヘッド１２の固定用ねじ２６と裏蓋２４の間に挟み込んで固定する。そして、天井面固定具１０２のねじ部を天井面５に直接ねじ込むことで天井面５に接続する。このようにして、吊り具１０はシャワーヘッド１２と天井面５とを直接固定され、落下防止具としての機能を果たすのである。
【００３９】
尚、上記した接続構造は、エルボ７の内径部を円筒状で形成し、継手３０を差し込み、配管接続用Ｏリング３０１の弾性力のみで接続されているが、継手３０を差し込む動作のみで給水配菅６とを接続される機構であればどのようなものでもよい。また、前記した吊り具１０は、同様の効果を発揮するものであればどのようなものを用いてもよい。さらにこの落下を防止する構造は、当然ながら第一実施形態のシャワー装置１や、また給水配管６が露出するシャワー装置等に用いても同様の効果を発揮することは言うまでもないことである。
【図面の簡単な説明】
【００４０】
【図１】本件発明の第一実施形態におけるシャワー装置の外観を示した外観斜視図。
【図２】本件発明の第一実施形態におけるシャワー装置の断面を示した断面図。
【図３】図２におけるＡ部の拡大図。
【図４】本件発明の第一実施形態のシャワー装置に用いる継手を示した斜視図。
【図５】本件発明の第一実施形態のシャワー装置に用いる継手を示した断面図。
【図６】本件発明の第一実施形態のシャワー装置における継手とシャワーヘッドの接続構造を示した図。
【図７】本件発明の第一実施形態のシャワー装置に用いるパイプを示した斜視図。
【図８】本件発明の第一実施形態のシャワー装置に用いるキャップを示した斜視図。
【図９】本件発明の第一実施形態のシャワー装置における継手とパイプ、及び継手とキャップの接続構造を示した図。
【図１０】本件発明の第ニ実施形態におけるシャワー装置の外観を示した外観斜視図。
【図１１】本件発明の第ニ実施形態におけるシャワー装置の断面を示した断面図。。
【図１２】本件発明の第ニ実施形態のシャワー装置に用いる散水板を示した斜視図。。
【図１３】本件発明の第ニ実施形態のシャワー装置に用いる継手を示した斜視図。
【図１４】本件発明の第ニ実施形態のシャワー装置における継手とエルボの接続構造を示した図。
【図１５】本件発明の第ニ実施形態のシャワー装置におけるシャワーヘッドと天井面を繋ぐ吊り具を示した一部拡大図。
【図１６】本件発明の第ニ実施形態のシャワー装置におけるシャワーヘッドと天井面を繋ぐ吊り具を示した図。
【図１７】本件発明の第ニ実施形態のシャワー装置におけるシャワーヘッドと天井面を繋ぐ吊り具の接続構造を示した一部拡大図。
【符号の説明】
【００４１】
１…シャワー装置
２…シャワーヘッド
３…パイプ
４…キャップ
５…天井面
６…給水配管
７…エルボ
８…天井取付ねじ
９…補強板
１０…吊り具
１１…シャワー装置
１２…シャワーヘッド
２１…シャワー本体
２２…散水パッキン
２３…散水板
２４…裏蓋
２５…継手
２６…固定用ねじ
２７…Ｏリング
２８…逆止弁
２９…散水板
３０…継手
３１…袋ナット
３２…雄ねじ
３３…パイプ鍔部
４１…パイプ挿通穴
４２…雌ねじ
４３…連通路
４４…内部空間
４５…係止面
５１…天井穴
７１…接続口
７２…内径壁
１０１…シャワー側固定具
１０２…天井面側固定具
１０３…鎖
２１１…給水口
２１２…通水路
２２１…散水ノズル
２３１…固定用ねじ受け
２５１…第一の雄ねじ部
２５２…流入口
２５３…流出口
２５４…第二の雄ねじ部
２５５…継手鍔部
２５６…継手貫通穴
２９１…散水板鍔部
２９２…散水板貫通穴
２９３…カバー
３０１…配管接続用Ｏリング
【図１】
2006180970.tif 000003
【図２】
2006180970.tif 000004
【図３】
2006180970.tif 000005
【図４】
2006180970.tif 000006
【図５】
2006180970.tif 000007
【図６】
2006180970.tif 000008
【図７】
2006180970.tif 000009
【図９】
2006180970.tif 000010
【図１０】
2006180970.tif 000011
【図１１】
2006180970.tif 000012
【図１２】
2006180970.tif 000013
【図１３】
2006180970.tif 000014
【図１４】
2006180970.tif 000015
【図１５】
2006180970.tif 000016
【図１６】
2006180970.tif 000017
【図１７】
2006180970.tif 000018
【図８】
2006180970.tif 000019